【手続補正書】
【提出日】平成29年11月8日(2017.11.8)
【手続補正１】
【補正対象書類名】明細書
【補正対象項目名】００１２
【補正方法】変更
【補正の内容】
【００１２】
実施形態の超音波診断装置は、設定部と、算出部と、決定部と、制御部とを備える。設定部は、被検体の心筋を含む３次元領域に対応する時系列に沿った複数の３次元超音波画像データそれぞれに対して、前記心筋に対応する関心領域を設定する。算出部は、前記複数の３次元超音波画像データに対するパターンマッチングを含む処理により、前記関心領域を構成する複数の追跡点の動きを追跡し、各追跡点の移動ベクトルを算出する。決定部は、前記心筋の境界面に対する前記移動ベクトルの射影に基づいて、前記心筋の境界面上での動きを示す運動情報を決定する。制御部は、前記運動情報を表示部に表示させる。
【手続補正２】
【補正対象書類名】特許請求の範囲
【補正対象項目名】全文
【補正方法】変更
【補正の内容】
【特許請求の範囲】
【請求項１】
被検体の心筋を含む３次元領域に対応する時系列に沿った複数の３次元超音波画像データそれぞれに対して、前記心筋に対応する関心領域を設定する設定部と、
前記複数の３次元超音波画像データに対するパターンマッチングを含む処理により、前記関心領域を構成する複数の追跡点の動きを追跡し、各追跡点の移動ベクトルを算出する算出部と、
前記心筋の境界面に対する前記移動ベクトルの射影に基づいて、前記心筋の境界面上での動きを示す運動情報を決定する決定部と、
前記運動情報を表示部に表示させる制御部と、
を備える、超音波診断装置。
【請求項２】
前記決定部は、
更に、前記移動ベクトルの射影成分の方向を指定するための入力を操作者から受け付けて、
受け付けた方向と前記移動ベクトルとに基づいて、前記運動情報を決定する、
請求項１に記載の超音波診断装置。
【請求項３】
前記決定部は、前記関心領域の所定の時空間領域の境界において、前記操作者により指定された方向と、前記移動ベクトルの射影成分の方向との間を滑らかに切り換えることで、前記運動情報を決定し、
前記所定の時空間領域の境界は、前記移動ベクトルの推定精度が低下した時空間領域の境界である、請求項２に記載の超音波診断装置。
【請求項４】
前記関心領域は、心筋の内膜面、心筋の外膜面及び心筋の中層面の少なくとも１つを含む、請求項１〜３のいずれか１つに記載の超音波診断装置。
【請求項５】
前記決定部は、前記境界面に対する前記移動ベクトルの射影成分を、前記運動情報として決定する、請求項１〜４のいずれか一つに記載の超音波診断装置。
【請求項６】
前記算出部は、更に、前記パターンマッチングを含む処理により、前記関心領域の局所的なストレイン情報を算出し、
前記決定部は、算出された前記ストレイン情報と、前記関心領域近傍での前記移動ベクトルとを用いて、前記運動情報を決定する、
請求項１〜５のいずれか１つに記載の超音波診断装置。
【請求項７】
前記算出部は、前記移動ベクトルの大きさが所定の閾値より小さい時相については、当該時相の移動ベクトルの方向を示す方向情報を時間的な補間処理により推定する、
請求項１〜６のいずれか１つに記載の超音波診断装置。
【請求項８】
前記決定部は、更に、前記移動ベクトルが前記境界面上で構成するベクトル場において、当該境界面上で設定された少なくとも１つの始点から空間的な補間処理により得られる少なくとも１本の流線を決定し、
前記制御部は、前記少なくとも１本の流線に対応する線を、前記関心領域の３次元レンダリング画像データ、又は、心臓のポーラーマップに重畳して表示させる、
請求項１〜７のいずれか１つに記載の超音波診断装置。
【請求項９】
前記制御部は、前記境界面上で構成するベクトル場における個々の移動ベクトルの方向を示し、規格化された長さの線分、又は、矢印を、前記関心領域の３次元レンダリング画像データ、又は、心臓のポーラーマップに重畳して表示させる、
請求項１〜７のいずれか１つに記載の超音波診断装置。
【請求項１０】
前記決定部は、更に、前記関心領域に含まれる第１境界面で得られた前記移動ベクトルの当該第１境界面に対する射影成分のベクトル情報と、前記関心領域に含まれる第２境界面で得られた前記移動ベクトルの当該第２境界面に対する射影成分のベクトル情報とを用いて、前記第１境界面と前記第２境界面との間の剪断ストレインレート、又は、剪断ストレインを推定する、
請求項１〜７のいずれか１つに記載の超音波診断装置。
【請求項１１】
前記制御部は、前記運動情報とともに、前記関心領域の局所的な壁運動に関する指標を同時に表示させる、
請求項１〜１０のいずれか１つに記載の超音波診断装置。
【請求項１２】
前記算出部は、前記関心領域として複数の関心領域が設定されている場合、前記複数の関心領域それぞれで、前記移動ベクトルを算出し、
前記決定部は、前記複数の関心領域それぞれで前記運動情報を決定し、
前記制御部は、前記複数の関心領域それぞれの前記運動情報を同時に表示させる、
請求項１〜１１のいずれか１つに記載の超音波診断装置。
【請求項１３】
前記決定部は、前記移動ベクトルの射影成分の方向と、心筋の長軸方向、又は、心筋の円周方向とのなす角度を決定する、
請求項１〜１１のいずれか１つに記載の超音波診断装置。
【請求項１４】
前記決定部は、前記移動ベクトルの射影成分を用いて、前記心筋の境界面上でのストレインを取得する、
請求項１〜１３のいずれか１つに記載の超音波診断装置。
【請求項１５】
前記算出部は、前記関心領域として複数の関心領域が設定されている場合、前記複数の関心領域それぞれで、前記移動ベクトルを算出し、
前記決定部は、前記複数の関心領域それぞれで得た運動情報を、関心領域間で差分した情報を、新たな運動情報として決定する、
請求項１〜１４のいずれか１つに記載の超音波診断装置。
【請求項１６】
前記決定部は、前記ベクトル場における個々のベクトルの方向に加えて、前記移動ベクトルの射影成分の方向と、心筋の長軸方向、又は、心筋の円周方向とのなす角度を決定し、
前記制御部は、前記線分、又は、前記矢印の表示形態を、前記角度に応じて変更する、
請求項９に記載の超音波診断装置。
【請求項１７】
被検体の心筋を含む３次元領域に対応する時系列に沿った複数の３次元超音波画像データそれぞれに対して、前記心筋に対応する関心領域を設定する設定部と、
前記複数の３次元超音波画像データに対するパターンマッチングを含む処理により、前記関心領域を構成する複数の追跡点の動きを追跡し、各追跡点の移動ベクトルを算出する算出部と、
前記心筋の境界面に対する前記移動ベクトルの射影に基づいて、前記心筋の境界面上での動きを示す運動情報を決定する決定部と、
前記運動情報を表示部に表示させる制御部と、
を備える、画像処理装置。
【請求項１８】
被検体の心筋を含む３次元領域に対応する時系列に沿った複数の３次元超音波画像データそれぞれに対して、前記心筋に対応する関心領域を設定する設定部と、
前記複数の３次元超音波画像データに対するパターンマッチングを含む処理により、前記関心領域を構成する複数の追跡点の動きを追跡し、各追跡点の移動ベクトルを算出する算出部と、
前記関心領域の部分的な平均移動ベクトルから、前記心筋の部分的な並進運動成分を取得し、当該並進運動成分を各追跡点の前記移動ベクトルから差し引くことで、前記心筋の収縮方向の動きを示す運動情報を決定する決定部と、
前記運動情報を表示部に表示させる制御部と、
を備える、超音波診断装置。
【請求項１９】
前記関心領域は、心筋の内膜面、心筋の外膜面及び心筋の中層面の少なくとも１つを含む、請求項１８に記載の超音波診断装置。
【請求項２０】
前記算出部は、更に、前記パターンマッチングを含む処理により、前記関心領域の局所的なストレイン情報を算出し、
前記決定部は、算出された前記ストレイン情報と、前記関心領域近傍での前記移動ベクトルとを用いて、前記運動情報を決定する、
請求項１８又は１９に記載の超音波診断装置。
【請求項２１】
前記算出部は、前記移動ベクトルの大きさが所定の閾値より小さい時相については、当該時相の移動ベクトルの方向を示す方向情報を時間的な補間処理により推定する、請求項１８〜２０のいずれか一つに記載の超音波診断装置。
【請求項２２】
前記決定部は、更に、前記移動ベクトルが前記心筋の境界面上で構成するベクトル場において、当該境界面上で設定された少なくとも１つの始点から空間的な補間処理により得られる少なくとも１本の流線を決定し、
前記制御部は、前記少なくとも１本の流線に対応する線を、前記関心領域の３次元レンダリング画像データ、又は、心臓のポーラーマップに重畳して表示させる、
請求項１８〜２１のいずれか一つに記載の超音波診断装置。
【請求項２３】
前記制御部は、前記境界面上で構成するベクトル場における個々の移動ベクトルの方向を示し、規格化された長さの線分、又は、矢印を、前記関心領域の３次元レンダリング画像データ、又は、心臓のポーラーマップに重畳して表示させる、請求項２２に記載の超音波診断装置。
【請求項２４】
前記決定部は、更に、前記関心領域に含まれる第１境界面で得られた前記移動ベクトルの当該第１境界面に対する射影成分のベクトル情報と、前記関心領域に含まれる第２境界面で得られた前記移動ベクトルの当該第２境界面に対する射影成分のベクトル情報とを用いて、前記第１境界面と前記第２境界面との間の剪断ストレインレート、又は、剪断ストレインを推定する、請求項１８〜２１のいずれか一つに記載の超音波診断装置。
【請求項２５】
前記制御部は、前記運動情報とともに、前記関心領域の局所的な壁運動に関する指標を同時に表示させる、請求項１８〜２４のいずれか一つに記載の超音波診断装置。
【請求項２６】
前記算出部は、前記関心領域として複数の関心領域が設定されている場合、前記複数の関心領域それぞれで、前記移動ベクトルを算出し、
前記決定部は、前記複数の関心領域それぞれで前記運動情報を決定し、
前記制御部は、前記複数の関心領域それぞれの前記運動情報を同時に表示させる、請求項１８〜２５のいずれか一つに記載の超音波診断装置。
【請求項２７】
前記算出部は、前記関心領域として複数の関心領域が設定されている場合、前記複数の関心領域それぞれで、前記移動ベクトルを算出し、
前記決定部は、前記複数の関心領域それぞれで得た運動情報を、関心領域間で差分した情報を、新たな運動情報として決定する、請求項１８〜２５のいずれか一つに記載の超音波診断装置。
【請求項２８】
被検体の心筋を含む３次元領域に対応する時系列に沿った複数の３次元超音波画像データそれぞれに対して、前記心筋に対応する関心領域を設定する設定部と、
前記複数の３次元超音波画像データに対するパターンマッチングを含む処理により、前記関心領域を構成する複数の追跡点の動きを追跡し、各追跡点の移動ベクトルを算出する算出部と、
前記関心領域の部分的な平均移動ベクトルから、前記心筋の部分的な並進運動成分を取得し、当該並進運動成分を各追跡点の前記移動ベクトルから差し引くことで、前記心筋の収縮方向の動きを示す運動情報を決定する決定部と、
前記運動情報を表示部に表示させる制御部と、
を備える、画像処理装置。